(57)【要約】【課題】  樋状部上に横葺外装材端部の先端部が位置することを目視可能にし、部材点数、形状がシンプルで材料の使用量が抑えられた横葺屋根のケラバ納め構造を提供する。【解決手段】  横葺外装材を敷設した屋根の桁行き方向端部のケラバ納め構造において、横葺外装材４の桁行き方向の端部４ａ裏面に位置して下地１に固定される固定部３ａと、固定部３ａから下地１側端の下方へ垂下する延出部３ｃとを有する水切り部材３と、端部４ａ表面を覆う第１化粧部５ａと、端部４ａ側方を覆う第２化粧部５ｂとを有する化粧部材５からなり、延出部３ｃの被係止部３ｆと化粧部材５の係止部５ｃを係止させることで水切り部材３と化粧部材５を一体化すると共に、固定部３ａ上の端部４ａ表面を第１化粧部５ａで覆設し且つ延出部３ｃと第２化粧部５ｂとで樋状部６を形成し、この樋状部６上に端部４ａの先端部４ｂが位置している。【選択図】  図１
2006183294.tif 000002
【特許請求の範囲】
【請求項１】
横葺外装材を敷設した屋根の桁行き方向端部のケラバ納め構造において、
横葺外装材の桁行き方向の端部裏面に位置して下地に固定される固定部と、当該固定部から下地側端の下方へ垂下する延出部とを有する水切り部材と、
横葺外装材の端部表面を覆う第１化粧部と、横葺屋根板の端部側方を覆う第２化粧部とを有する化粧部材からなり、
前記延出部の被係止部と化粧部材の係止部を係止させることで水切り部材と化粧部材を一体化すると共に、固定部上の横葺屋根板の端部表面を第１化粧部で覆設し且つ前記延出部と第２化粧部とで樋状部を形成し、
この樋状部上に横葺屋根板の端部の先端部が位置することを特徴とする横葺屋根のケラバ納め構造。
【請求項２】
水切り部材および化粧部材は、横葺屋根板の成形時に生じる端材を用いたことを特徴とする請求項１記載の横葺屋根のケラバ納め構造。
【発明の詳細な説明】
【技術分野】
【０００１】
本発明は横葺屋根のケラバ納め構造に関する。
【背景技術】
【０００２】
特許文献１には、略コ字状の係止下地Ｂ内に屋根材Ｅの端部を挿入している構造の新生瓦屋根のケラバ部改修構造が記載されている。
特許文献２には、係止体Ｂ内に開口から屋根材Ｄの端部を挿入している構造の段葺屋根のけらば部構造が記載されている。
このような特許文献１および特許文献２の構造のものでは、ケラバの施工時に屋根材の端部が係止下地Ｂ内あるいは係止体Ｂ内に挿入されることで隠れて目視できないため、端部の位置が不揃いになり、万が一、端部が突出片４、立上り部２より内側に位置するようなことになると、屋根材端部から浸入した雨水が樋状部に排出されずに屋根材裏面に回り込み漏水を起こす恐れがある。
また、両文献における納め部材は形状が複雑で成形コストがかかるものである。
一方、金属屋根材は、一定幅の板材を裁断、加工して成形するものであるが、その多くは、裁断による「端材」が発生する。この端材は殆ど使用されることなく廃棄されているのが現状である。
例えば、板幅が９１０ｍｍあるいは１０００ｍｍ等の平板（コイル）から成形する横葺外装材の展開幅にカットしているため、その結果として、端材が生じる。
また、ケラバ納め部材等を、平板（コイル）を裁断して成形することも行なわれているが、横葺外装材と納め部材（化粧部材）の色が微妙に相違する恐れがある。理由は、この種の平板は、同一ロッドであれば同色であるが、ロッドが相違すると若干の色の相違が生じ、同じ黒であっても色の相違が見られることがある。
【特許文献１】特開平８−２１０３５
【特許文献２】特開平６−７３８５７
【発明の開示】
【発明が解決しようとする課題】
【０００３】
解決しようとする課題は、第１には、前記の問題点である「納め部材内に挿入されることによって横葺外装材の端部が見えない」という構造上の問題点が解消され、樋状部上に横葺外装材端部の先端部が位置することを目視確認可能にし、納め部材点数および形状がシンプルで、材料の使用量が抑えられている横葺屋根のケラバ納め構造を、第２には、さらに、横葺外装材と化粧部材の色むらを無くして美麗に仕上げられる横葺屋根のケラバ納め構造を提供することにある。
【課題を解決するための手段】
【０００４】
本発明は前記した課題を達成するため、以下の構成にしたことを特徴とする。
１．横葺外装材を敷設した屋根の桁行き方向端部のケラバ納め構造において、横葺外装材の桁行き方向の端部裏面に位置して下地に固定される固定部と、当該固定部から下地側端の下方へ垂下する延出部とを有する水切り部材と、横葺外装材の端部表面を覆う第１化粧部と、横葺外装材の端部側方を覆う第２化粧部とを有する化粧部材からなり、前記延出部の被係止部と化粧部材の係止部を係止させることで水切り部材と化粧部材を一体化すると共に、固定部上の横葺外装材の端部表面を第１化粧部で覆設し且つ前記延出部と第２化粧部とで樋状部を形成し、この樋状部上に横葺外装材の端部の先端部が位置することを特徴とする。
２．前記した１において、水切り部材および化粧部材は、横葺外装材の成形時に生じる端材を用いたことを特徴とする。
【０００５】
本発明における下地は、屋根が新設である場合には野地板等になり、改修される屋根である場合は既設屋根や既設ケラバ等になる。
横葺外装材は、カラー鋼板等を含む公知の各種の金属製平板（コイル）から成形されることになる。水切り部材および化粧部材は、構築される横葺屋根における横葺外装材の成形時に生じる同一ロッドの端材を用いて成形されるのが望ましいが、別のロッドの端材であってもよい。
樋状部は、延出部および／または第２化粧部を曲げ加工して成形されるものであればよく、その形や大きさは自由である。
水切り部材の被係止部と化粧部材の係止部との係止関係は、水切り部材と化粧部材が一体化されるものであればよく制限はない。また、かかる係止関係によって、水切り部材と化粧部材の一体化および樋状部の形成の双方が確保される限りにおいて変更は自由であり制限がない。
【発明の効果】
【０００６】
Ａ．請求項１により、従来の問題点である「納め部材内に挿入されることによって横葺外装材の端部が見えない」という構造上の問題点が解消され、横葺屋根材端部が樋部上にあることを目視確認して、その上で化粧部材を横葺屋根材端部に覆い被せられるから、横葺外装材裏面側への漏水がなく、そして、水切り部材と化粧部材の２部材からなる納め部材形状がシンプルで、材料の使用量が抑えられたケラバ納め構造である。
Ｂ．請求項２により、さらに、水切り部材および化粧部材を横葺屋根材の端材で仕上げてあるから、横葺外装材と化粧部材の色むらの違いが無く美麗に仕上げられる。
【発明を実施するための最良の形態】
【０００７】
図１および図２には本発明の横葺屋根のケラバ納め構造における実施の１形態として、新設の横葺屋根のケラバ納め構造を例示しており、下地１は垂木１ａ上の野地板１ｂおよび垂木１ａ側面の破風板１ｃに亘ってアスファルトルーフィング２を敷設して形成してある。この下地１における桁行き方向の下地端部１ｄには水切り部材３を同端部に沿い配設してある。
水切り部材３は、構築される横葺屋根における横葺屋根板４の成形時に生じる同一ロッドの端材で成形してある。そして水切り部材３は、内側端に水返し部３ｂを表面側に折り返して形成している固定部３ａと、当該固定部３ａから下地側端１ｅの下方へ折り曲げられて垂下する延出部３ｃとを有し、延出部３ｃには、破風板１ｃ外側面に添接する当接部３ｄと、当接部３ｄ下端から外側へ折り曲げられて水平状に延びる水平部３ｅと、水平部３ｅ先端から下方へ折り曲げられて垂下する被係止部３ｆを形成してある。
この水切り部材３は、当接部３ｄが破風板１ｃ外側面に添接するようにして、固定部３ａを下地端部１ｄに配設してあり、固定部３ａを含む下地１上には横葺屋根板４を敷設し、水平部３ｅ上に横葺屋根板４の桁行き方向の端部４ａにおける先端部４ｂが位置していることを目視して確認し得るようにしてある。
【０００８】
横葺屋根板４は、桁行き方向の端部４ａの先端部４ｂを斜め下向きに折り下げることで同端部における水切りがされ易くしてあり、この横葺屋根板４の端部４ａ上には化粧部材５を同端部に沿い覆設してある。
化粧部材５は、水切り部材３と同様に、構築される横葺屋根における横葺屋根板４の成形時に生じる同一ロッドの端材で成形してある。かかる化粧部材５は、横葺屋根板４の端部４ａ表面を覆い可能な第１化粧部５ａと、第１化粧部５ａから折り下げられて、端部４ａ側方を覆い可能な第２化粧部５ｂと、第２化粧部５ｂ下端に内側へ折り返されて、水切り部材３の被係止部３ｆと係止可能な係止部５ｃを形成してある。
この化粧部材５は、係止部５ｃを水切り部材３の被係止部３ｆに係止させることで、水切り部材３と化粧部材５を一体化し、且つ、当接部３ｄと水平部３ｅと第２化粧部５ｂとにより囲まれた空間からなる樋状部６を形成してあると共に、固定部３ａおよび樋状部６上の横葺屋根板４の端部４ａ表面を第１化粧部５ａで覆設し、端部４ａ側方を第２化粧部５ｂで覆設してある。
【０００９】
そして、第１化粧部５ａ上からビス等の固定具７を横葺屋根板４の端部４ａおよび固定部３ａに貫通させて破風板１ｃに止着することにより、水切り部材３と化粧部材５を下地１側に固定してある。
第１化粧部５ａの左右幅は横葺屋根板４の端部４ａ表面を覆い可能な幅比に形成してあり、当接部３ｄおよび第２化粧部５ｂの上下高さは樋状部６の深さに応じて形成し、水平部３ｅの左右幅は樋状部６の上方に横葺屋根板４の先端部４ｂが位置し得る幅比に形成してある。
【００１０】
図３および図４には本発明の横葺屋根のケラバ納め構造における実施の他の１形態として、改修された横葺屋根のケラバ納め構造を例示している。
改修前の既設の横葺屋根は、垂木１１ａ上の野地板１１ｂと垂木１１ａ側面の破風板１１ｃ上の当て木１１ｆに亘ってアスファルトルーフィング１２を敷設し、この下地１１における桁行き方向の下地端部１１ｄにケラバ部材１３を同端部に沿い配設してビス等の固定具１５で止着固定し、ケラバ部材１３の固定部１３ａを含めて下地１１上に横葺屋根板１４を敷設して葺いてある。
かかる既設の横葺屋根におけるケラバ部材１３を下地１とし、この下地１に水切り部材３を配設してある。
【００１１】
水切り部材３は、新設の横葺屋根板２４の成形時に生じる同一ロッドの端材で成形してある。そして水切り部材３は、内側端に水返し部３ｂを表面側に折り返して形成している固定部３ａと、当該固定部３ａから下地側端１ｅの下方へ折り曲げられて垂下する延出部３ｃとを有し、延出部３ｃには、ケラバ部材１３外側面に添接する当接部３ｄと、当接部３ｄ下端から外側へ折り曲げられて水平状に延びる水平部３ｅと、水平部３ｅ先端から下方へ折り曲げられて垂下する被係止部３ｆを形成してある。
この水切り部材３は、当接部３ｄがケラバ部材１３外側面に添接するようにして、固定部３ａを下地１のケラバ部材１３上面に配設してあり、固定部３ａを含めて既設の横葺屋根板１４上には新設の横葺屋根板２４を敷設し、水平部３ｅ上に横葺屋根板２４の端部２４ａの先端部２４ｂが位置していることを目視して確認し得るようにしてある。
【００１２】
新設の横葺屋根板２４は、桁行き方向の端部２４ａ上に化粧部材５を同端部に沿い覆設してある。
化粧部材５は、水切り部材３と同様に、新設の横葺屋根板２４の成形時に生じる同一ロッドの端材で成形してある。かかる化粧部材５は、横葺屋根板２４の端部２４ａ表面を覆い可能な第１化粧部５ａと、第１化粧部５ａから折り下げられて、横葺屋根板２４の端部２４ａ側方を覆い可能な第２化粧部５ｂと、第２化粧部５ｂ下端に内側へ折り返されて、水切り部材３の被係止部３ｆと係止可能な係止部５ｃを形成してある。
この化粧部材５は、係止部５ｃを水切り部材３の被係止部３ｆに係止させることで、水切り部材３と化粧部材５を一体化し、且つ、当接部３ｄと水平部３ｅと第２化粧部５ｂとにより囲まれた空間からなる樋状部６を形成してあると共に、固定部３ａおよび樋状部６上の横葺屋根板の端部２４ａ表面を第１化粧部５ａで覆設し、横葺屋根板の端部２４ａ側方を第２化粧部５ｂで覆設してある。
【００１３】
そして、第１化粧部５ａ上からビス等の固定具７を、横葺屋根板２４の端部２４ａおよび固定部３ａならびにケラバ部材１３に貫通させて当て木１１ｆに止着することにより、水切り部材３と化粧部材５を下地１側に固定し、改修された横葺屋根のケラバ構造としてある。
第１化粧部５ａの左右幅は横葺屋根板の端部２４ａ表面を覆い可能な幅比に形成してあり、当接部３ｄおよび第２化粧部５ｂの上下高さは樋状部６の深さに応じて形成し、水平部３ｅの左右幅は樋状部６の上方に横葺屋根板の端部２４ａの先端部２４ｂが位置し得る幅比に形成してある。
【図面の簡単な説明】
【００１４】
【図１】本発明の横葺屋根のケラバ納め構造における実施の１形態を例示している縦断正面図。
【図２】（Ａ）は化粧部材の正面図。（Ｂ）は水切り部材の正面図。
【図３】本発明の横葺屋根のケラバ納め構造における実施の他の１形態として、改修前の横葺屋根のケラバ納め構造を例示している縦断正面図。
【図４】本発明の横葺屋根のケラバ納め構造における実施の他の１形態として、改修された横葺屋根のケラバ納め構造を例示している縦断正面図。
【符号の説明】
【００１５】
１  下地
１ａ，１１ａ  垂木
１ｂ，１１ｂ  野地板
１ｃ，１１ｃ  破風板
１ｄ，１１ｄ  下地端部
１ｅ  下地側端
２，１２  アスファルトルーフィング
３  水切り部材
３ａ  固定部
３ｂ  水返し部
３ｃ  延出部
３ｄ  当接部
３ｅ  水平部
３ｆ  被係止部
４，１４，２４  横葺屋根板（横葺外装材）
４ａ，２４ａ  端部
４ｂ，２４ｂ  先端部
５  化粧部材
５ａ  第１化粧部
５ｂ  第２化粧部
５ｃ  係止部
６  樋状部
７，１５  固定具
１１ｆ  当て木
１３  ケラバ部材
１３ａ  固定部
【図１】
2006183294.tif 000003
【図２】
2006183294.tif 000004
【図３】
2006183294.tif 000005
【図４】
2006183294.tif 000006